(57)【要約】【課題】内燃機関のオフ操作に伴いロック機構がロック状態となるよう正常に作動したか否かを判定する機能を備えた、バルブタイミング制御装置を提供する。【解決手段】バルブタイミング調整機構が搭載されたエンジンに適用されており、当該調整機構は、クランク軸（駆動軸）とともに回転するハウジング（駆動側回転体）、カム軸（従動軸）とともに回転するロータ（従動側回転体）、及びロータを所定位置（最遅角位置）で相対回転不能にロックするロック機構、等を有する。そして、ＩＧオフ操作を検出した場合に、ロータをロック位置に向けて相対回転させるよう作動油の供給状態を制御するロック制御手段と、エンジン始動時に、ロータがロック機構によりロックされたロック状態及び非ロック状態のいずれであるかの判定を、カム角センサの検出信号の挙動に基づき行うロック判定手段Ｓ２３と、を備える。【選択図】      図８
2009167989.tif 000002
【特許請求の範囲】
【請求項１】
吸気バルブ及び排気バルブの少なくとも一方の開閉タイミングを調整するバルブタイミング調整機構が搭載された内燃機関に適用され、
前記バルブタイミング調整機構は、前記内燃機関の駆動軸から前記バルブを開閉駆動する従動軸に駆動力を伝達する駆動力伝達系に設けられているとともに、前記駆動軸とともに回転する駆動側回転体、前記従動軸とともに回転する従動側回転体、前記内燃機関を駆動源とし、前記両回転体の一方を他方に対して相対回転させるよう作動油を供給する油圧ポンプ、及び前記一方の回転体を所定位置で相対回転不能にロックするロック機構、を有しており、
前記内燃機関の停止を指令するためのオフ操作を検出した場合に、前記一方の回転体を前記ロックの位置に向けて相対回転させるよう前記作動油の供給状態を制御するロック制御手段と、
前記内燃機関の始動時に、前記一方の回転体が前記ロック機構によりロックされたロック状態及び非ロック状態のいずれであるかの判定を、前記従動軸の回転角度を検出するカム角センサから出力される検出信号の挙動に基づき行うロック判定手段と、
を備えることを特徴とするバルブタイミング制御装置。
【請求項２】
前記ロック機構は、前記一方の回転体を進角させるよう前記作動油の供給状態を進角制御することに伴い、前記ロック状態を解除するよう構成され、
前記ロック判定手段により前記非ロック状態であると判定されている期間中、前記進角制御を禁止することを特徴とする請求項１に記載のバルブタイミング制御装置。
【請求項３】
ロック位置としての前記所定位置は、前記一方の回転体の最遅角位置に設定されており、
前記内燃機関の始動時に前記非ロック状態であると判定された場合には、次回の前記オフ操作を検出するまでの間、前記一方の回転体の相対回転位置の目標値を遅角側に補正する進角抑制手段を備えることを特徴とする請求項１又は２に記載のバルブタイミング制御装置。
【請求項４】
前記オフ操作を検出した時に、前記作動油の温度又は当該温度と相関のある物理量を検出して記憶し、
前記内燃機関の運転中の前記作動油温度又は物理量が、前記オフ操作時に検出した前記作動油温度又は物理量の値以下であることを条件として、前記進角抑制手段による補正を実行することを特徴とする請求項３に記載のバルブタイミング制御装置。
【請求項５】
前記カム角センサは、前記従動軸に備えられたロータの突起部が当該カム角センサに近づくことに伴い増大するとともに遠ざかることに伴い減少するよう前記検出信号の出力値を変化させるものであり、
前記ロック判定手段は、基準値に対する前記検出信号の増大量の積分値と、前記基準値に対する前記検出信号の減少量の積分値とを比較して、前記両積分値が所定量以上異なる値となっている異常状態を検出した場合に前記非ロック状態であると判定することを特徴とする請求項１〜４のいずれか１つに記載のバルブタイミング制御装置。
【請求項６】
前記ロック判定手段は、前記異常状態を複数回検出した場合に前記非ロック状態であると判定することを特徴とする請求項５に記載のバルブタイミング制御装置。
【請求項７】
請求項１〜６のいずれか１つに記載のバルブタイミング制御装置と、
内燃機関の吸気バルブ及び排気バルブの少なくとも一方の開閉タイミングを調整するバルブタイミング調整機構と、
を備えることを特徴とするバルブタイミング制御システム。
【発明の詳細な説明】
【技術分野】
【０００１】
本発明は、内燃機関に設けられた吸気バルブ及び排気バルブの少なくとも一方の開閉タイミングを調整するバルブタイミング調整機構の作動を制御する、バルブタイミング制御装置及びバルブタイミング制御システムに関する。
【背景技術】
【０００２】
吸気バルブ及び排気バルブの少なくとも一方の開閉タイミングを調整する従来のバルブタイミング調整機構は、内燃機関のクランク軸（駆動軸）とともに回転する駆動側回転体と、カム軸（従動軸）とともに回転する従動側回転体とを備え、従動側回転体を駆動側回転体に対して相対回転させるよう油圧ポンプから作動油を供給する構成である。そして、作動油の供給先を制御バルブにより切り換え制御することで、従動側回転体を相対回転させる向きを制御している。
【０００３】
ここで、カム軸は、バルブスプリングから力を受けることに起因して、開弁作動時には回転を妨げる向きにトルクを受け、閉弁作動時には回転を促進する向きにトルクを受ける。つまり、周期的に変動するトルク（以下、変動トルクと呼ぶ）をカム軸は受けており、この変動トルクはカム軸を介して従動側回転体に伝達されることとなる。そして、内燃機関の始動時には、一方の回転体に供給される作動油の油圧が未だ低いため、従動側回転体が駆動側回転体に対して変動トルクにより揺れ動く状態（以下、バタツキ状態と呼ぶ）となる。すると、従動側回転体が駆動側回転体に衝突して打音が発生するといった問題や、一方の回転体を目標位置まで相対回転させるのに要する時間が長くなるといった問題が生じる。
【０００４】
これらの問題の対策として従来では、一方の回転体を所定位置（例えば最遅角位置）で相対回転不能にロックするロック機構を備えている（特許文献１等参照）。そして、内燃機関の停止を指令するためのイグニッションスイッチのオフ操作（以下、ＩＧオフ操作と呼ぶ）を検出した場合に、一方の回転体をロック位置（最遅角位置）に向けて相対回転させるように制御バルブを制御するロック制御を実行している。これによれば、次回、イグニッションスイッチをオン操作して内燃機関を始動させる時には、従動側回転体はロック機構によりロックされているので、変動トルクを受けてもバタツキ状態にならない。よって、前述の打音発生や相対回転時間の短縮化を図ることができる。
【特許文献１】特開２００２−３５７１３６号公報
【発明の開示】
【発明が解決しようとする課題】
【０００５】
しかしながら、油圧ポンプは内燃機関を駆動源としているため、ＩＧオフ操作後には油圧が低下する。すると、作動油の温度その他の各種条件によっては、前記ロック制御を行ったとしても一方の回転体がロック位置まで到達できない場合が生じる。そして、このようなロック位置まで到達できない不具合を抑制するといった観点の制御手法は従来より各種提案されているものの、ロック位置まで到達して正常にロック状態となっているか否かを判定する、といった観点の判定手法は一切提案されていない。
【０００６】
本発明は、上記課題を解決するためになされたものであり、その目的は、内燃機関のオフ操作に伴いロック機構がロック状態となるよう正常に作動したか否かを判定する機能を備えた、バルブタイミング制御装置及びバルブタイミング制御システムを提供することにある。
【課題を解決するための手段】
【０００７】
以下、上記課題を解決するための手段、及びその作用効果について記載する。
【０００８】
請求項１記載の発明では、
吸気バルブ及び排気バルブの少なくとも一方の開閉タイミングを調整するバルブタイミング調整機構が搭載された内燃機関に適用され、
前記バルブタイミング調整機構は、前記内燃機関の駆動軸から前記バルブを開閉駆動する従動軸に駆動力を伝達する駆動力伝達系に設けられているとともに、前記駆動軸とともに回転する駆動側回転体、前記従動軸とともに回転する従動側回転体、前記内燃機関を駆動源とし、前記両回転体の一方を他方に対して相対回転させるよう作動油を供給する油圧ポンプ、及び前記一方の回転体を所定位置で相対回転不能にロックするロック機構、を有しており、
前記内燃機関の停止を指令するためのオフ操作を検出した場合に、前記一方の回転体を前記ロックの位置に向けて相対回転させるよう前記作動油の供給状態を制御するロック制御手段と、
前記内燃機関の始動時に、前記一方の回転体が前記ロック機構によりロックされたロック状態及び非ロック状態のいずれであるかの判定を、前記従動軸の回転角度を検出するカム角センサから出力される検出信号の挙動に基づき行うロック判定手段と、
を備えることを特徴とする。
【０００９】
ここで、本発明者らは、ロック状態で内燃機関を始動させた場合と、非ロック状態で内燃機関を始動させた場合とで、カム角センサから出力される検出信号の挙動が異なることに着目した。すなわち、非ロック状態では、先述の通り、従動側回転体が駆動側回転体に対して変動トルクにより揺れ動くバタツキ状態となる。すると、駆動軸から従動軸への回転トルク伝達が断続的になるため、従動軸が滑らかに回転することの妨げとなる。その結果、ロック状態で内燃機関を始動させた場合のカム角センサの検出信号（図７（ｄ）参照）に対し、非ロック状態で始動させた場合の検出信号（図７（ａ）参照）は異なる挙動となる。
【００１０】
このような知見に鑑み、上記請求項１記載の発明では、内燃機関の始動時におけるカム角センサの検出信号の挙動に基づき、ロック状態及び非ロック状態のいずれであるかを判定する。よって、内燃機関のオフ操作に伴いロック機構がロック状態となるよう正常に作動したか否かを判定する機能を備えさせることができる。
【００１１】
請求項２記載の発明では、前記ロック機構は、前記一方の回転体を進角させるよう前記作動油の供給状態を進角制御することに伴い、前記ロック状態を解除するよう構成され、前記ロック判定手段により前記非ロック状態であると判定されている期間中、前記進角制御を禁止することを特徴とする。
【００１２】
ところで、非ロック状態で内燃機関を始動させてバタツキ状態となった時に、従動側回転体が駆動側回転体に対して揺れ動いた結果、従動側回転体がロック位置となりロック状態に移行する可能性がある。しかしながら、バタツキ状態の時に進角制御を実行すると、進角制御することに伴いロック状態を解除するようロック機構は構成されているため、前述の如くロック状態に移行する可能性が低くなり、バタツキ状態の長期化を招くおそれがある。
【００１３】
これに対し上記請求項２記載の発明では、非ロック状態であると判定されている期間中、進角制御を禁止するので、ロック状態に移行し易い状態にできる。よって、バタツキ状態の長期化抑制を図ることができる。
【００１４】
ここで、ロック制御手段による制御を実行しても正常にロック状態にならない要因の一つとして、作動油の温度が低いことに起因して一方の回転体を相対回転させる力が低くなっていることが挙げられる。したがって、外気温度が低い冬期においては、正常にロック状態にできない非ロックになる状況が、内燃機関を始動させる度に繰り返し発生する場合がある。そして、バタツキ状態が繰り返し発生すると、従動側回転体が駆動側回転体に繰り返し衝突することにより、バルブタイミング調整機構が損傷することが懸念される。
【００１５】
これに対し請求項３記載の発明では、ロック位置としての前記所定位置は、前記一方の回転体の最遅角位置に設定されており、前記内燃機関の始動時に前記非ロック状態であると判定された場合には、次回の前記オフ操作を検出するまでの間、前記一方の回転体の相対回転位置の目標値を遅角側に補正する進角抑制手段を備えることを特徴とする。
【００１６】
このような進角抑制手段によれば、一方の回転体の相対回転位置をロック位置である最遅角位置に近づけることができる。よって、ロック位置に近い状態で内燃機関をオフ操作することとなるので、一方の回転体がロック位置まで到達できずに非ロック状態となることを抑制できる。そして、内燃機関の始動時に非ロック状態を検出した場合に次回のオフ操作までの間、進角抑制手段による遅角側への補正を実行するので、上述の如くバタツキ状態が繰り返し発生することを抑制できる。
【００１７】
ここで、過去にロック位置まで到達できなかった時の作動油温度と同じ又はそれ以下であれば、以後においてロック制御手段を実行した時にも同じようにロック位置まで到達できない可能性が高い。そこで、請求項４記載の発明では、前記オフ操作を検出した時に、前記作動油の温度又は当該温度と相関のある物理量を検出して記憶し、前記内燃機関の運転中の前記作動油温度又は物理量が、前記オフ操作時に検出した前記作動油温度又は物理量の値以下であることを条件として、前記進角抑制手段による補正を実行することを特徴とする。
【００１８】
よって、ロック位置まで到達できない可能性が高い場合にのみ進角抑制手段による遅角側への補正を実行するので、前記可能性が高くない場合にまで進角抑制手段を実行させる制御に比べ、遅角側に補正することによる内燃機関の運転性能ダウンを招く機会を少なくできる。
【００１９】
請求項５記載の発明では、前記カム角センサは、前記従動軸に備えられたロータの突起部が当該カム角センサに近づくことに伴い増大するとともに遠ざかることに伴い減少するよう前記検出信号の出力値を変化させるものであり、前記ロック判定手段は、基準値に対する前記検出信号の増大量の積分値（図９（ｂ）参照）と、前記基準値に対する前記検出信号の減少量の積分値（図９（ｃ）参照）とを比較して、前記両積分値が所定量以上異なる値となっている異常状態を検出した場合に前記非ロック状態であると判定することを特徴とする。これによれば、検出信号の挙動（図７（ａ）（ｄ）参照）が、バタツキ状態に起因した挙動になっているか否かを容易に判定することができる。
【００２０】
請求項６記載の発明では、前記ロック判定手段は、前記異常状態を複数回検出した場合に前記非ロック状態であると判定することを特徴とする。これによれば、検出信号にノイズが含まれる等の原因によりロック状態であるにも拘わらず非ロック状態であると誤判定するおそれを低減できる。
【００２１】
請求項７記載の発明は、上記バルブタイミング制御装置と、内燃機関の吸気バルブ及び排気バルブの少なくとも一方の開閉タイミングを調整するバルブタイミング調整機構と、を備えることを特徴とするバルブタイミング制御システムである。このバルブタイミング制御システムによれば、上述の各種効果を同様に発揮することができる。
【発明を実施するための最良の形態】
【００２２】
以下、本発明を具体化した一実施形態を図面に基づいて説明する。
【００２３】
図１に示すように、車両に搭載されて走行駆動源となる内燃機関にはガソリンエンジン１１が適用され、該エンジン１１はダブルオーバヘッドカム式である。そして、クランク軸１２（駆動軸）からの動力がタイミングチェーン１３により各スプロケット１４，１５を介して吸気側カム軸１６（従動軸）と排気側カム軸１７とに伝達されるようになっている。但し、吸気側カム軸１６には、クランク軸１２に対する吸気側カム軸１６の進角量を調整するバルブタイミング調整装置１８が設けられている。また、吸気側カム軸１６の外周側には、カム角を検出するカム角センサ１９が設置され、一方、クランク軸１２の外周側には、クランク角を検出するクランク角センサ２０が設置されている。
【００２４】
これらクランク角センサ２０及びカム角センサ１９の出力信号は、エンジン制御手段としてのエンジンＥＣＵ２１に入力される。そして、エンジンＥＣＵ２１によって図示しない吸気バルブの実バルブタイミングが演算されると共に、クランク角センサ２０の出力パルスの周波数からエンジン回転速度が演算される。また、エンジン運転状態を検出する各種センサ（吸気圧センサ２２、水温センサ２３、スロットルセンサ２４等）の出力信号や、イグニッションスイッチ２５の出力信号がエンジンＥＣＵ２１に入力される。なお、イグニッションスイッチ２５が車両ドライバによりオフ操作されると、エンジン１１を停止させる停止指令信号がエンジンＥＣＵ２１に入力される。
【００２５】
このエンジンＥＣＵ２１は、これら各種の入力信号に基づいて燃料噴射制御や点火制御を行うと共に、後述する可変バルブタイミング制御を行い、吸気バルブの実バルブタイミング（吸気側カム軸１６の実進角量）を目標バルブタイミング（目標進角量）に一致させるようにバルブタイミング調整装置１８のバルブタイミングをフィードバック制御する。
【００２６】
このバルブタイミング調整装置１８の油圧回路には、オイルパン２７内のオイルが油圧ポンプ２８により作動油として供給される。油圧ポンプ２８はエンジン１１を駆動源としており、クランク軸１２からの動力がタイミングチェーンにより伝達されるようになっている。
【００２７】
そして、油圧ポンプ２８による作動油の供給先を油圧制御バルブ２９により切り換えることで、バルブタイミングを進角側及び遅角側のいずれに変化させるかを制御する。また、油圧制御バルブ２９により作動油の供給量を制御することで、吸気側カム軸１６の実進角量（実バルブタイミング）が制御される。
【００２８】
また、エンジンＥＣＵ２１の電源端子には、メインリレー７１のスイッチ７２を介してバッテリ７３のプラス端子側が接続されている。エンジンＥＣＵ２１は、イグニッションスイッチ２５からオン信号が入力されると、メインリレー７１のリレー駆動コイル７４に通電してメインリレー７１のスイッチ７２をオンし、バッテリ７３から電源の供給を受ける。メインリレー７１を通して供給される電源は、エンジンＥＣＵ２１の他に、油圧制御バルブ２９等、制御系全体に供給される。メインリレー７１は、イグニッションスイッチ２５のオフ後も、引き続き所定時間オン状態に保持され、その期間に、後述するロック制御を実行できるようになっている。
【００２９】
次に、図２〜図４に基づいてバルブタイミング調整装置１８の構成を説明する。
【００３０】
バルブタイミング調整装置１８のハウジング３１（駆動側回転体（他方の回転体））は、吸気側カム軸１６の外周に回動自在に支持されたスプロケット１４にボルト３２で締め付け固定されている。これにより、クランク軸１２の回転がタイミングチェーン１３を介してスプロケット１４とハウジング３１に伝達され、スプロケット１４とハウジング３１がクランク軸１２と同期して回転するようになっている。
【００３１】
一方、吸気側カム軸１６は、シリンダヘッド３３とベアリングキャップ３４により回転可能に支持され、この吸気側カム軸１６の一端部に、ロータ３５（従動側回転体（一方の回転体））がストッパ３６を介してボルト３７で締め付け固定されている。このロータ３５は、ハウジング３１内に相対回転自在に収納されている。
【００３２】
図３及び図４に示すように、ハウジング３１の内部には、複数の油圧室４０が形成され、各油圧室４０が、ロータ３５の外周部に形成されたベーン４１によって進角室４２と遅角室４３とに区画されている。そして、ロータ３５の外周部とベーン４１の外周部には、それぞれシール部材４４が装着され、各シール部材４４が板ばね４５（図２参照）によって外周方向に付勢されている。これにより、ロータ３５の外周面とハウジング３１の内周面との隙間及びベーン４１の外周面と油圧室４０の内周面との隙間がシール部材４４でシールされている。
【００３３】
図２に示すように、吸気側カム軸１６の外周部に形成された環状の進角溝４６と遅角溝４７が、それぞれ油圧制御バルブ２９の所定ポートに接続され、エンジン１１の動力で油圧ポンプ２８が駆動されることにより、オイルパン２７から汲み上げたオイル（作動油）が油圧制御バルブ２９を介して進角溝４６や遅角溝４７に供給される。進角溝４６に接続された進角油路４８は、吸気側カム軸１６の内部を貫通してロータ３５に形成された円弧状進角油路４９（図３参照）に連通するように形成され、この円弧状進角油路４９が各進角室４２に連通している。一方、遅角溝４７に接続された遅角油路５０は、吸気側カム軸１６の内部を貫通してロータ３５に形成された円弧状遅角油路５１（図４参照）に連通するように形成され、この円弧状遅角油路５１が各遅角室４３に連通している。
【００３４】
油圧制御バルブ２９は、ソレノイド５３とスプリング５４で弁体を駆動する４ポート３位置切換弁であり、弁体の位置を、進角室４２に作動油を供給する進角供給位置と、遅角室４３に作動油を供給する遅角供給位置と、進角室４２と遅角室４３のいずれにも作動油を供給しない保持位置との間で切り換えるようになっている。ソレノイド５３の通電停止時には、スプリング５４によって弁体が進角室４２に作動油を供給する位置に自動的に切り換えられ、カム軸位相を進角させる方向に油圧が働くようになっている。なお、図１及び図２に示す油圧制御バルブ２９は、ソレノイド５３の通電時における作動状態を示している。
【００３５】
進角室４２と遅角室４３に所定圧以上の油圧が供給された状態では、進角室４２と遅角室４３の油圧でベーン４１が固定されて、クランク軸１２の回転によるハウジング３１の回転が作動油を介してベーン４１に伝達される。これにより、前述した変動トルクによりロータ３５がハウジング３１に対して揺れ動いてしまうこと（バタツキ）が抑制された状態で、クランク軸１２と吸気側カム軸１６とは一体的に回転する。
【００３６】
エンジン運転中は、進角室４２と遅角室４３の油圧を油圧制御バルブ２９で制御してロータ３５をハウジング３１に対して相対回転させることで、クランク軸１２に対する吸気側カム軸１６の回転位相（カム軸位相）を制御して吸気バルブのバルブタイミングを可変する。具体的には、油圧制御バルブ２９を前述の進角供給位置又は遅角供給位置に作動させてロータ３５を相対回転させ、目標相対回転位置に到達したら、油圧制御バルブ２９を保持位置に作動させてロータ３５の相対回転位置を保持させる。
【００３７】
ここで、吸気側カム軸１６が吸気バルブを駆動する場合に、吸気バルブを閉弁方向に付勢するバルブスプリングから吸気側カム軸１６は正・負に変動する変動トルクを受ける。正方向の変動トルクは、ロータ３５を遅角側に相対回転させる方向のトルクを表し、負方向の変動トルクは、ロータ３５を進角側に相対回転させる方向のトルクを表している。そして、変動トルクの平均は正方向、つまり遅角方向に働いている。そこで、ロータ３５を進角側に相対回転させる場合に、遅角側に相対回転させる場合に比べて相対回転の応答性が悪化することを回避するために、進角方向に相対回転させる油圧力をばね力で補助するばね部材としてのコイルばね５５（図２参照）を備えている。このコイルばね５５はスプロケット１４に収容されている。
【００３８】
また、図３及び図４に示すように、いずれか１つのベーン４１に形成されたロックピン収容孔５７には、ハウジング３１に対してロータ３５を相対回転不能にロックするためのロックピン５８（ロック機構）が出没可能に収容され、このロックピン５８がハウジング３１に設けられた図２に示すロック穴５９（ロック機構）に嵌り込むことで、カム軸位相がその調整可能範囲の最遅角位置（ロック位置）でロックされる。
【００３９】
図５及び図６に示すように、ロックピン５８は、ロックピン収容孔５７の内周に嵌合された円筒部材６１内に摺動可能に挿入され、スプリング６２によってロック方向（突出方向）に付勢されている。また、ロックピン５８の中央外周部に形成された弁部６３によって、円筒部材６１とロックピン５８との隙間が、ロック油圧室６４とロック解除保持用の解除保持油圧室６５とに区画されている。そして、ロック油圧室６４と解除保持油圧室６５に進角室４２から作動油を供給するために、ベーン４１には、進角室４２に連通するロック油路６６とロック解除保持用の油路６７が形成されている。また、ハウジング３１には、ロック穴５９と遅角室４３とを連通するロック解除油路６８が形成されている。
【００４０】
図５に示すように、ロックピン５８のロック時には、ロックピン５８の弁部６３がロック解除保持用の油路６７を塞いで、ロック油路６６をロック油圧室６４に連通させた状態となる。これにより、進角室４２からロック油圧室６４に油圧が供給され、この油圧とスプリング６２によってロックピン５８がロック穴５９に嵌まり込んだ状態に保持され、カム軸位相が最遅角位置でロックされる。
【００４１】
エンジン停止中は、ロック油圧室６４の油圧（進角室４２の油圧）が低下するが、スプリング６２によってロックピン５８がロック位置に保持される。したがって、エンジン始動は、ロックピン５８がロック位置に保持された状態（最遅角位置）で行われ、エンジン始動後に、ロック穴５９の油圧（遅角室４３の油圧）が高くなると、その油圧によって次のようにしてロックピン５８のロックが解除される。エンジン始動後に、遅角室４３からロック解除油路６８を通してロック穴５９に供給される油圧（ロック解除方向の力）が、ロック油圧室６４の油圧（進角室４２の油圧）とスプリング６２のばね力との合力（ロック方向の力）よりも大きくなると、ロック穴５９の油圧によってロックピン５８がロック穴５９から押し出されて図６のロック解除位置に移動し、ロックピン５８のロックが解除される。
【００４２】
このロック解除状態では、図６に示すように、ロックピン５８の弁部６３がロック油路６６を塞いで、ロック解除保持用の油路６７を解除保持油圧室６５に連通させた状態となる。これにより、進角室４２から解除保持油圧室６５に油圧が供給され、この解除保持油圧室６５の油圧（進角室４２の油圧）とロック穴５９の油圧（遅角室４３の油圧）とによってロックピン５８がスプリング６２に抗してロック解除位置に保持される。そして、エンジン運転中は、進角室４２と遅角室４３のいずれかの油圧が高くなっているため、その油圧でロックピン５８がロック解除位置に保持され、ロータ３５が相対回転可能な状態（つまりバルブタイミング制御が可能な状態）に保持される。
【００４３】
エンジンＥＣＵ２１は、ソレノイド５３の作動を制御することにより油圧制御バルブ２９の作動を制御する進遅角位置制御手段としても機能し、クランク角センサ２０及びカム角センサ１９の出力信号に基づいて吸気バルブの実バルブタイミング（吸気側カム軸１６の実進角量）を演算すると共に、吸気圧センサ２２、水温センサ２３等のエンジン運転状態を検出する各種センサの出力に基づいて吸気バルブの目標バルブタイミング（吸気側カム軸１６の目標進角量）を演算する。そして、吸気バルブの実バルブタイミングを目標バルブタイミングに一致させるようにバルブタイミング調整装置１８の油圧制御バルブ２９をフィードバック制御する。
【００４４】
換言すれば、エンジンＥＣＵ２１は、進角室４２と遅角室４３の油圧を制御して、ハウジング３１に対するロータ３５の実相対回転位置（実進角量に相当）を目標相対回転位置（目標進角量に相当）まで相対回転させることで、吸気バルブの実バルブタイミングが目標バルブタイミングに一致するよう、カム軸位相を変化させる。
【００４５】
その後、エンジン１１を停止させる際に、エンジン回転速度が低下すると、油圧ポンプ２８の吐出圧が低下するため、進角室４２や遅角室４３の油圧が低下してくる。これにより、解除保持油圧室６５の油圧（進角室４２の油圧）とロック穴５９の油圧（遅角室４３の油圧）が低下して、スプリング６２のばね力がこれらの油圧に打ち勝つようになると、スプリング６２のばね力によってロックピン５８が突出してロック穴５９に嵌まり込むようになる。但し、ロックピン５８がロック穴５９に嵌まり込むには、両者の位置が一致していること、つまり、ロータ３５が最遅角位置に一致していることが条件となる。
【００４６】
この条件を満たすべく、イグニッションスイッチ２５のオフ操作（ＩＧオフ操作）を検出した場合に、エンジンＥＣＵ２１は、ロータ３５をロック位置（最遅角位置）に向けて相対回転させるように油圧制御バルブ２９を制御するロック制御を実行している。このロック制御によりロータ３５を最遅角位置に到達させることができれば、ロックピン５８がロック穴５９に嵌まり込んだロック状態で、次回、ＩＧオン操作してエンジン１１を始動させることができる。
【００４７】
ここで、エンジン始動時には、進角室４２及び遅角室４３に作動油が供給されていないため、仮に、ロックピン５８がロック穴５９に嵌まり込んでいない非ロック状態であったとすれば、前述した変動トルクによりロータ３５がハウジング３１に対して揺れ動いてしまう状態（バタツキ状態）となり、ロータ３５がハウジング３１に衝突して異音発生及びバルブタイミング調整装置１８の損傷を招くおそれがある。しかしながら、上述のロック制御によりエンジン始動時にロック状態になっていれば、ロータ３５は相対回転不能にロックされるので、前記バタツキ状態を回避できる。
【００４８】
また、油圧ポンプ２８はエンジン１１を駆動源としているため、ＩＧオフ操作後には油圧が低下する。すると、作動油の温度その他の各種条件によっては、前記ロック制御を行ったとしてもロータ３５がロック位置まで到達できないことが懸念される。そこで、ＩＧオフ操作後、所定時間Ｔａ，Ｔｂ（図１１参照）は燃料噴射を継続することで油圧低下開始時期を遅らせて、上記懸念の解消を図っている。
【００４９】
但し、前記所定時間Ｔａ，Ｔｂを長くするほどロック位置まで到達できない懸念を低減できるものの、車両運転者に対しては、ＩＧオフ操作したにも拘わらず即座にエンジン１１が停止しないことに対する違和感を与えてしまう。よって、前記所定時間Ｔａ，Ｔｂを十分には長くできないことが実情であり、ロック制御を行ってもロック状態にできない場合が生じうる。
【００５０】
本実施形態では、エンジン始動時に、ロック状態及び非ロック状態のいずれであるかを判定するロック判定処理を実行する。以下、エンジンＥＣＵ２１のマイクロコンピュータが実行する、図７及び図８に示すロック判定処理のプログラムについて説明する。なお、これら図７及び図８の処理は、所定周期（例えばマイコンが有するＣＰＵの演算周期）毎又は所定のクランク角度毎に繰り返し実行される。
【００５１】
先ず、図７のステップＳ１０においてＩＧオフ操作の有無を検出する。つまり、イグニッションスイッチ２５がオンからオフに切り替わったか否かを判定する。ＩＧオフ操作が検出された場合（Ｓ１０：ＹＥＳ）には、続くステップＳ１１において、ＩＧオフ操作時のエンジン冷却水の温度、及びロータ３５の進角量を、上記マイコンが有する不揮発性記憶手段（例えばＥＥＰＲＯＭ）に記憶させる。冷却水の温度は水温センサ２３により取得し、進角量は、ロータ３５のハウジング３１に対する実相対回転位置を検出する位相センサ（図示せず）により取得する。なお、進角量は、ロータ３５の最遅角位置を０度とする。以上により、ＩＧオフ操作時の冷却水温度及び進角量が記憶保持される。
【００５２】
次に、図８のステップＳ２０において、ＩＧオンの状態になっているか否かを判定する。ＩＧオン状態であると判定（Ｓ２０：ＹＥＳ）された場合、続くステップＳ２１において、エンジン１１が始動を開始してクランク軸１２が回転している状態であるか否か、具体的には、クランク角センサ２０の検出値に基づき算出されたエンジン回転速度がゼロより大きいか否かを判定する。
【００５３】
エンジン回転速度がゼロより大きいと判定（Ｓ２１：ＹＥＳ）された場合、続くステップＳ２２において、カム角センサ１９から出力される検出信号の挙動を算出する。ここで、図９に示すカム角センサ１９の構造、及び、カム角センサ１９から出力される検出信号の挙動（図１０参照）について詳細に説明する。
【００５４】
吸気側カム軸１６には、突起部１６ｂを有するロータ１６ａが取り付けられており、当該ロータ１６ａは吸気側カム軸１６と一体的に回転する。本実施形態に係るカム角センサ１９には電磁ピックアップ方式のセンサが採用されており、鉄心１９ａ、鉄心１９ａに巻き回されたコイル１９ｂ、及び鉄心１９ａの一端に隣接配置された磁石１９ｃを備えて構成されている。鉄心１９ａ他端面は、コイル１９ｂとともに検出面１９ｄを形成する。
【００５５】
そして、ロータ１６ａの回転に伴い突起部１６ｂが検出面１９ｄに近づくと、コイル１９ｂからの出力電圧が上昇する。一方、突起部１６ｂが検出面１９ｄから遠ざかると出力電圧が下降する。このような出力電圧の変化がカム角センサ１９の検出信号となる。図１０（ｄ）は、ロック状態でありバタツキ状態となっていない場合の検出信号の経過時間に伴う変化（挙動）を示している。
【００５６】
具体的には、ｔ１０時点から突起部１６ｂが検出面１９ｄに近づき始めるとともに、カム角センサ１９の出力電圧がゼロからプラス側に上昇を開始する。その後、出力電圧が下降を開始した後、突起部１６ｂが検出面１９ｄに最も近づくｔ２０時点にて出力電圧がゼロとなる。その後、突起部１６ｂが検出面１９ｄから遠ざかり始めるとともに、出力電圧がゼロからマイナス側にさらに下降を続ける。その後、出力電圧が上昇を開始した後、突起部１６ｂが、カム角センサ１９に与える磁界変化が無くなるほど検出面１９ｄから遠ざかったｔ３０時点にて出力電圧がゼロとなる。
【００５７】
なお、突起部１６ｂはロータ１６ａの１箇所のみに形成されているため、出力電圧がゼロからプラスに変化しその後マイナスに変化する波形は、吸気側カム軸１６が１回転する毎に１回出現する。また、吸気側カム軸１６が上死点に位置する時に突起部１６ｂが検出面１９ｄに最も近づくよう、ロータ１６ａは吸気側カム軸１６に固定されている。よって、出力電圧がプラスとなる期間ＭＡからマイナスとなる期間ＭＢに切り替わる時点を検出すれば、このように検出したｔ２０時点が吸気側カム軸１６の上死点であると特定できる。
【００５８】
図１０（ｄ）に示す正常時の検出信号挙動に対し、図１０（ａ）は、非ロック状態でありバタツキ状態となっている場合の検出信号の経過時間に伴う変化（挙動）を示している。具体的には、ｔ１０時点から突起部１６ｂが検出面１９ｄに近づき始めるとともに、出力電圧がプラス側に上昇を開始する。その後、出力電圧が下降を開始した後、突起部１６ｂが検出面１９ｄに最も近づくｔ２０時点にて出力電圧がゼロとなる。
【００５９】
しかしながら、ｔ２０時点直後、出力電圧の絶対値は僅かであり、図１０（ｄ）に示す如く出力電圧のマイナス値が大きく現れることがない。これは、エンジン始動直後のため進角室４２及び遅角室４３に作動油が供給されていないことに加え、非ロック状態であるため、ｔ２０時点近傍から、ロータ３５がハウジング３１に対して揺れ動くバタツキ状態となっていることに起因すると考察される。バタツキ状態になると、クランク軸１２の回転力をハウジング３１からロータ３５に常時伝達することはできなくなるため、吸気側カム軸１６の回転は不安定となり、回転速度の変化が一定ではなく脈動することとなる。
【００６０】
図１０（ａ）の例では、ｔ２１時点で、ロータ３５が揺れ動いて最遅角位置に相対回転し、ロックピン５８がロック穴５９に嵌り込んでロック状態となっている。したがって、ｔ２１時点後、出力電圧のマイナス値が大きく現れている。よって、このようにマイナス値が大きく現れるタイミング（図１０の例ではｔ３０近傍）は、エンジン始動時から正常にロック状態となっている図１０（ｄ）においてマイナス値が大きく現れるタイミング（図１０の例ではｔ２０直後）に比べて遅い。このように、エンジン始動時において正常にロック状態となっている場合と非ロック状態の場合とで、出力電圧の挙動に違いが生じる。
【００６１】
この点に着目し、ステップＳ２２では、カム角センサ１９による出力電圧の、基準値（０Ｖ）に対する増大量の積分値（プラス電圧側の積分値）と、基準値（０Ｖ）に対する減少量の積分値（マイナス電圧側の積分値）とを算出している。図１０（ｂ）（ｃ）は非ロック状態の場合（異常時）におけるプラス電圧側及びマイナス電圧側の積分値の変化をそれぞれ示す。また、図１０（ｅ）（ｆ）はロック状態の場合（正常時）におけるプラス電圧側及びマイナス電圧側の積分値の変化をそれぞれ示す。
【００６２】
上記着目点に基づき、本発明者らは以下の知見を得た。すなわち、異常時における出力電圧のマイナス値は、非ロック状態であれば先述の如く大きくは現れない。また、途中でロック状態に移行したとしてもその出現タイミングは遅くなる。よって、図１０（ｂ）（ｃ）に示す如く、所定期間ＭＡ，ＭＢにおける異常時のマイナス電圧側積分値Ｂ１はプラス電圧側積分値Ａ１に比べて小さい。一方、図１０（ｅ）（ｆ）に示す如く、正常時のマイナス電圧側積分値Ｂ２はプラス電圧側積分値Ａ２と略同一である。
【００６３】
なお、前述の所定期間ＭＡ，ＭＢは、正常時において出力電圧がゼロから増大して再度ゼロに戻るまでに要する時間、及びゼロから減少して再度ゼロに戻るまでに要する時間となるよう設定されている。
【００６４】
続くステップＳ２３（ロック判定手段）では、上記知見に基づき、マイナス電圧側積分値の絶対値Ａ１とプラス電圧側積分値の絶対値Ｂ１とが所定量以上異なる場合に、異常状態（つまり非ロックによるバタツキ状態）であると判定する。具体的には、積分値Ｂ１に対する積分値Ａ１の割合（Ａ１／Ｂ１）が所定値より大きい場合に、両積分値Ａ１，Ｂ１が所定量以上異なるとして上述の異常状態であると判定する。
【００６５】
バルブタイミング調整装置１８の現在の状態がバタツキ状態（異常状態）であると判定（Ｓ２３：ＹＥＳ）された場合には、続くステップＳ２４において、バタツキ回数をカウントアップする。両積分値Ａ１，Ｂ１は所定期間ＭＡ，ＭＢ毎に算出されるため、ステップＳ２３によるバタツキ有無の最終的な判定はカム軸１６が１回転する毎に行われる。このような最終的判定にてバタツキ有りと判定された回数が、上記バタツキ回数である。なお、ステップＳ２０にてＩＧオフ状態であると判定（Ｓ２０：ＮＯ）されると、カウントアップしたバタツキ回数はリセットされる。
【００６６】
続くステップＳ２５では、ロータ３５をハウジング３１に対して進角側に相対回転させるよう、油圧制御バルブ２９の作動をＥＣＵ２１が制御する進角制御を、禁止する。一方、現在の状態がバタツキ状態（異常状態）でない正常状態であると判定（Ｓ２３：ＮＯ）された場合には、ステップＳ２８にて進角制御の実行を許可する。
【００６７】
また、正常状態であると判定（Ｓ２３：ＮＯ）された場合には、ステップＳ２６において、ステップＳ２４でカウントアップされたバタツキ回数が所定回数以上（本実施形態では５回以上）であるか否かを判定する。バタツキ回数≧５回であると判定（Ｓ２６：ＹＥＳ）された場合にはステップＳ２７（進角抑制手段）に処理は進む。
【００６８】
ステップＳ２７では、現在のエンジン冷却水温度が、図７のステップＳ１１にて記憶された前回エンジン停止時に記憶した冷却水温度より低い領域である場合に限り、目標進角量を所定値だけ減らすよう補正する。或いは、ステップＳ１１にて記憶された実進角量を超えないように目標進角量を補正する。バタツキ回数≧５回でないと判定（Ｓ２６：ＮＯ）された場合、或いはステップＳ２７の処理後、続くステップＳ２８において、前述の如く進角制御の実行を許可する。
【００６９】
次に、図７及び図８の処理による実進角量の変化等の一態様を、図１１を用いて説明する。図１１（ａ）はイグニッションスイッチ２５のオンオフ状態、（ｂ）はエンジンオイル温度、つまりバルブタイミング調整装置１８に用いる作動油の温度、（ｃ）はエンジン回転速度、（ｄ）は目標エンジン回転速度、（ｅ）は、燃焼室への吸気量を調整するスロットルバルブの開度、（ｆ）は、クランク軸１２に対する吸気側カム軸１６の実進角量の変化をそれぞれ示す。
【００７０】
図１１の態様ではエンジン１１の運転を２回行っている。すなわち、ｔ１時点にてイグニッションスイッチ２５をオン操作してエンジン１１を始動させ、１回目の運転（前回運転）を行った後、ｔ２時点にてイグニッションスイッチ２５をオフ操作してエンジン１１を停止させる。その後再び、ｔ５時点にてＩＧオン操作してエンジン１１を始動させ、２回目の運転（今回運転）を行った後、ｔ８時点にてＩＧオフ操作してエンジン１１を停止させている。
【００７１】
１回目運転始動時（ｔ１時点）には、バルブタイミング調整装置１８がロック状態となっているため、ｔ１時点ではカム軸位相が最遅角位置となっている（図１１（ｆ）参照）。その後、暖機運転期間が経過して進角量が徐々に増大し、最進角位置となった状態でｔ２時点にてＩＧオフ操作している。ＩＧオフ操作後、ｔ３時点までの所定時間Ｔａは燃料噴射を継続して、先述の如く油圧低下開始時期を遅らせている。ｔ３時点から噴射カットに伴いエンジン回転速度を徐々に低下させ、少なくとも所定時間Ｔａを含むｔ２時点以降の期間中、ロータ３５を強制的に最遅角位置まで相対回転させるロック制御を行う。図１１の態様では、１回目のロック制御ではロータ３５を最遅角位置まで到達させることができず、ｔ４時点において非ロック状態となっている。
【００７２】
２回目運転始動時（ｔ５時点）には、非ロック状態となっているためバタツキ状態となり、ロータ３５がハウジング３１に対して揺れ動くことに起因して実進角量が変動する。その後、ロータ３５が揺れ動いてｔ６時点（図１０（ａ）の例では、ｔ２１時点）でロック状態に移行している。したがって、ｔ５時点からｔ６時点までの間に、図８のステップＳ２３にてバタツキ有りと判定され、ｔ６時点以降はステップＳ２８にて進角制御の実行が許可されることとなる。その後、暖機運転期間の経過に伴いｔ７時点にてロック状態が解除され、進角量が徐々に増大し、最進角位置となった状態でｔ８時点にてＩＧオフ操作している。
【００７３】
なお、ｔ５時点以降のバタツキが所定回数以上有った場合には、図８のステップＳ２６にて肯定判定されることとなる。そして、前回エンジン停止時に記憶した冷却水温度より低い領域であれば、ステップＳ２７により目標進角量が所定値だけ減補正され、進角量が抑制されることとなる（図１１（ｆ）参照）。なお、図１１（ｆ）中の一点鎖線は進角量が抑制されなかった場合の実進角量の変化を示す。
【００７４】
このように進角量が抑制された状態でｔ８時点にてＩＧオフ操作した後、ｔ９時点までの所定時間Ｔｂは燃料噴射を継続して油圧低下開始時期を遅らせている。ｔ９時点から噴射カットに伴いエンジン回転速度を徐々に低下させ、少なくとも所定時間Ｔｂを含むｔ８時点以降の期間中、ロック制御を行う。１回目のロック制御ではロータ３５を最遅角位置まで到達させることができなかったのに対し、２回目のロック制御では、ロック制御を開始するｔ８時点において最進角位置となっていないため、最遅角位置までに要するロータ３５の相対回転量が少ない。よって、エンジン１１が停止するｔ１０時点までの間にロータ３５を最遅角位置まで到達させることができ、ｔ１０時点までにはロック状態となっている。よって、次回エンジン１１を始動させる時にはロック状態となっているため、バタツキ状態が回避される。
【００７５】
以上詳述した本実施形態によれば、以下の効果が得られるようになる。
【００７６】
（１）エンジン始動時に非ロック状態（異常状態）となっている場合には、所定期間ＭＡ，ＭＢにおけるマイナス電圧側積分値Ｂ１はプラス電圧側積分値Ａ１に比べて小さくなる。一方、エンジン始動時にロック状態（正常状態）となっている場合には、両積分値Ｂ２，Ａ２は略同一である。この知見を鑑み、本実施形態では、カム角センサ１９の検出信号挙動に基づき非ロック状態の有無を判定している。すなわち、両積分値が所定量以上異なっていることを検出した場合に非ロック状態であると判定するので、検出信号の挙動（図７（ａ）（ｄ）参照）が、バタツキ状態に起因した挙動になっているか否かを容易に判定することができる。
【００７７】
（２）非ロック状態であると判定（Ｓ２３：ＹＥＳ）されている期間（ｔ５〜ｔ６）中、ステップＳ２５の処理により進角制御を禁止するので、ロック状態に移行し易い状態にできる。よって、バタツキ状態期間（ｔ５〜ｔ６）の長期化抑制を図ることができる。
【００７８】
（３）エンジン始動時に非ロック状態であると判定された場合には、次回ＩＧオフ操作に係るｔ８時点までの期間（ｔ７〜ｔ８）、ステップＳ２７の処理により目標進角量を遅角側に補正して進角量を抑制するので、エンジン１１が停止するｔ１０時点までの間に最遅角位置まで到達させてロック状態にできる。よって、次回エンジン１１を始動させる時にはロック状態となっているため、バタツキ状態を回避できる。
【００７９】
（４）上記進角量抑制の処理は、前回エンジン停止時に記憶した冷却水温度より低い領域である場合に限り実行するので、エンジン停止時のロック制御によりロック位置まで到達できない可能性が高い場合にのみ進角量が抑制される。よって、前記可能性が高くない場合にまで進角量を抑制させる制御に比べ、遅角側に補正することによるエンジン１１の運転性能ダウンを招く機会を少なくできる。
【００８０】
（５）上記進角量抑制の処理は、ステップＳ２３にて検出されたバタツキ回数が所定回数以上であったことを条件として実行する。よって、カム角センサ１９の検出信号にノイズが含まれる等の原因によりロック状態であるにも拘わらず非ロック状態であると誤判定した場合にまで、進角量を抑制してしまうことを回避できる。
【００８１】
（他の実施形態）
上記各実施形態は、以下のように変更して実施してもよい。また、本発明は上記実施形態の記載内容に限定されず、各実施形態の特徴的構造をそれぞれ任意に組み合わせるようにしてもよい。
【００８２】
・上記実施形態では、エンジン冷却水温度に基づきステップＳ２７による進角量抑制の実行可否を判定しているが、エンジン冷却水温度に替えて作動油温度に基づき、進角量抑制の実行可否を判定するようにしてもよい。また、作動油温度と相関のある物理量であれば、エンジン冷却水温度に限らず、例えば外気温度に基づき前記判定を行ってもよい。
【００８３】
・上記実施形態では、ステップＳ２７による進角量抑制は、バタツキ回数が所定回数以上であったことを条件として実行しているものの、ステップＳ２５の進角制御禁止は、バタツキ回数に拘わらず実行している。これに対し、進角制御禁止についてもバタツキ回数が所定回数以上であったことを条件として実行するようにしてもよい。また、バタツキ有無を判定するにあたり、両積分値が所定量以上異なるとともに、バタツキ回数が所定回数以上であった場合に、バタツキ有りと判定するようにしてもよい。
【００８４】
・上記実施形態では、ステップＳ１１にて実進角量及び水温を検出して記憶させているが、水温のみを記憶させるようにしてもよい。また、実進角量を検出記憶させる場合には、当該記憶した実進角量に応じて、ステップＳ２７における進角量の減量補正量、或いは、実進角量の制限値を可変設定するようにしてもよい。
【００８５】
・上記実施形態では、バタツキ有りと判定された場合に、ステップＳ２５の進角制御禁止及びステップＳ２７の進角抑制の両制御を実行するが、これら両制御のうちいずれか一方を廃止し、他方のみを実行するようにしてもよい。
【００８６】
・バタツキ有りと判定された場合に、車両に搭載されたＯＢＤ（onboard diagnosis）装置により異常処理（例えば異常報知等）を実行させるようにしてもよい。
【図面の簡単な説明】
【００８７】
【図１】本発明の一実施形態に係る制御システム全体を示す概略構成図。
【図２】図１のバルブタイミング調整装置を示す縦断面図。
【図３】図２のＩ−Ｉ断面図。
【図４】図２のII−II断面図。
【図５】図２のロック機構によるロック状態を示す断面図。
【図６】図２のロック機構によるロック解除状態を示す断面図。
【図７】図１のエンジンＥＣＵによるロック判定処理の制御内容を示すフローチャート。
【図８】図１のエンジンＥＣＵによるロック判定処理の制御内容を示すフローチャート。
【図９】図１のカム角センサの構造を示す概略図。
【図１０】図１のカム角センサから出力される検出信号の挙動を示すタイムチャート。
【図１１】図７及び図８の処理による実進角量の変化等の一態様を示すタイムチャート。
【符号の説明】
【００８８】
１１…ガソリンエンジン（内燃機関）、１２…クランク軸（駆動軸）、１６…カム軸（従動軸）、１８…バルブタイミング調整装置（バルブタイミング調整機構）、２１…エンジンＥＣＵ（ロック制御手段）、２８…油圧ポンプ（バルブタイミング調整機構）、３１…ハウジング（駆動側回転体）、３５…ロータ（従動側回転体）、５８…ロックピン（ロック機構）、５９…ロック穴（ロック機構）、Ｓ２３…ロック判定手段、Ｓ２７…進角抑制手段。
【図１】
2009167989.tif 000003
【図２】
2009167989.tif 000004
【図３】
2009167989.tif 000005
【図４】
2009167989.tif 000006
【図５】
2009167989.tif 000007
【図６】
2009167989.tif 000008
【図７】
2009167989.tif 000009
【図８】
2009167989.tif 000010
【図９】
2009167989.tif 000011
【図１０】
2009167989.tif 000012
【図１１】
2009167989.tif 000013